(57)【要約】【課題】測定周囲条件の変動にかかわらず、流量センサの機能をより正確に診断する。【解決手段】流体の流量を測定する流量センサと、前記流量センサの出力値又はこれに関連する値（以下、これらを総称して「出力関連値」という）を測定し、測定された出力関連値とその測定周囲条件とを関連付け、前記出力関連値又はその出力関連値が正常であるか判断するために予め定められた基準値を前記測定データの測定周囲条件に応じて補正する補正部と、前記補正部の補正結果に基づいて前記出力関連値と前記基準値とを比較し、前記流量センサの機能を診断する診断部と、を具備する。【選択図】図１
2018152051.tif 000002
【特許請求の範囲】
【請求項１】
流体を測定する流体センサと、
前記流体センサの出力値又はこれに関連する値のいずれかの値である出力関連値を測定する出力関連値測定部と、
前記出力関連値が正常であるか否か判断するために予め定められた基準値を記憶する基準値記憶部と、
前記出力関連値又は前記基準値の少なくとも一方を、前記出力関連値の測定周囲条件に応じて補正する補正部と、
記補正部の補正結果に基づく前記出力関連値と前記基準値とに基づいて前記流体センサを診断する診断部と、を具備することを特徴とする診断システム。
【請求項２】
予め基準となる測定周囲条件下で測定された基準出力関連値とその測定周囲条件とを関連付けて記憶する基準出力関連値記憶部をさらに具備し、
前記補正部が、前記出力関連値又は前記基準値を、前記出力関連値に関連付けられた測定周囲条件と前記基準出力関連値に関連付けられた測定周囲条件との偏差に基づいて補正する請求項１記載の診断システム。
【請求項３】
前記測定周囲条件が、前記流体の圧力又は温度のいずれかを含む請求項１又は２のいずれかに記載の診断システム。
【請求項４】
前記出力関連値が、前記流体の経時変化する圧力の時間積分値に基づく値である請求項１乃至３のいずれかに記載の診断システム。
【請求項５】
前記出力関連値が、前記流体の流れの上流と下流との間に生じる差圧に基づき算出される質量流量を所定時間積分した質量流量積分値に基づく値である請求項１乃至４のいずれかに記載の診断システム。
【請求項６】
前記出力関連値が、前記上流又は下流における前記所定時間の間の圧力変化量及び温度変化量と、前記質量流量積分値とから算出される流体の体積値である請求項５記載の診断システム。
【請求項７】
前記流体の流れを遮断する流量調整機構をさらに具備し、
前記前記流量調整機構が、前記流体の流れを遮断することによって上流側又は下流側の流体の圧力が経時変化する請求項４乃至６のいずれかに記載の診断システム。
【請求項８】
前記流体センサが、前記流体の上流と下流との間に差圧を発生させる抵抗体を備える請求項５乃至７のいずれかに記載の診断システム。
【請求項９】
流体を測定する流体センサの機能を診断する診断方法であって、
前記流体センサの出力値又はこれに関連する値のいずれかの値である出力関連値を測定し、
前記出力関連値又は前記出力関連値が正常であるか否か判断するために予め定められた基準値の少なくとも一方を、前記出力関連値の測定周囲条件に応じて補正し、
前記補正結果に基づく前記出力関連値と前記基準値とに基づいて前記流体センサを診断することを特徴とする流体センサの診断方法。
【請求項１０】
流体を測定する流体センサの機能を診断する診断システムに用いられるプログラムであって、
前記流体センサの出力値又はこれに関連する値のいずれかの値である出力関連値を測定し、
前記出力関連値又は前記出力関連値が正常であるか否か判断するために予め定められた基準値の少なくとも一方を、前記出力関連値の測定周囲条件に応じて補正し、
前記補正結果に基づく前記出力関連値と前記基準値とに基づいて前記流体センサを診断する機能をコンピュータに発揮させることを特徴とするプログラム。
【請求項１１】
流体の流量を測定する流量センサと、
前記流量センサの上流側に設けられ、その流量センサの出力値に基づいて前記流体の流量を制御する流量制御機構と、
前記流体センサの出力値又はこれに関連する値のいずれかの値である出力関連値を測定する出力関連値測定部と、
前記出力関連値が正常であるか否か判断するために予め定められた基準値を記憶する基準値記憶部と、
前記出力関連値又は前記基準値の少なくとも一方を、前記出力関連値の測定周囲条件に応じて補正する補正部と、
前記補正部の補正結果に基づく前記出力関連値と前記基準値とに基づいて前記流体センサを診断する診断部と、を具備することを特徴とする流量制御装置。
【発明の詳細な説明】
【技術分野】
【０００１】
本発明は、診断システム、診断方法、診断プログラム及び流量制御装置に関するものである。
【背景技術】
【０００２】
流量制御装置（マスフローコントローラ）に用いられる診断機構としては、特許文献１に開示されるように、流体が流れる流路に差圧に発生させる抵抗体、及び、その抵抗体の上流側及び下流側にそれぞれ設けられた圧力センサを備える流量センサと、流量センサの上流側の流路を開閉するバルブと、を具備し、バルブで流路を閉じた状態で流路を減圧し、この時に流量センサから得られる出力値又はこれに関連する値である出力関連値（診断用パラメータ）が予め定められた基準値と異なっているか否かによって流量センサの機能を診断するものが開示されている。
【０００３】
ここで、出力関連値をより具体的に説明すると、出力関連値は、バルブで流路を閉じた状態で流路を減圧し、その後、両圧力センサで測定される圧力Ｐ１，Ｐ２の差圧から式（１）を用いて質量流量Ｑを算出する。
2018152051.tif 000003
なお、Ｐ１は、上流側圧力センサの圧力値であり、Ｐ２は、下流側圧力センサの圧力値であり、Ｘは、ガス種によって変化する係数である。
【０００４】
次に、質量流量Ｑを上流側圧力センサで測定される圧力が経時変化する所定時間で時間積分する式（２）を用いて質量流量積分値ｎを算出する。なお、図５において、ａ−ｂ間における斜線で示された部分の質量流量Ｑの総和が、質量流量積分値ｎを示している。
【０００５】
2018152051.tif 000004
また、質量流量積分値ｎは、気体の状態方程式より式（３）のようにも表すことができる。
2018152051.tif 000005
なお、Ｖは、診断用の体積値であり、Ｐ１ＳＴＡＲＴは、所定時間の始点において上流側圧力センサで測定された圧力であり、Ｐ１ＥＮＤは、所定時間の終点において上流側圧力センサで測定された圧力である。
【０００６】
そして、式（２）と式（３）とから導きだされる式（４）で表される体積値Ｖが出力関連値となる。
2018152051.tif 000006
なお、ｎは、モル数（式（１）を用いて算出した単位時間あたりの質量（質量流量Ｑ）を時間で積分したもの、すなわち、質量流量積分値ｎである。）であり、Ｒは、ガス種によって定まる気体定数であり、Ｔは、温度センサで測定される温度であり、ここでは、一定とみなしており、ΔＰ１は、所定時間の始点及び終点において上流側圧力センサで測定される圧力の圧力差である。
【０００７】
ここで、式（３）〜式（４）では、所定時間の始点及び終点の間における温度差と圧力差とが含まれるが、これら値は、所定時間の間の圧力及び温度の変化を考慮した圧力の変化量と温度の変化量であってもよい。
【０００８】
ところが、式（４）で表される出力関連値には、温度及び圧力が含まれており、これらの値が体積値Ｖに誤差を生じさせる要因となる。すなわち、圧力センサによって経時変化する圧力を所定時間連続的に測定しようとすると、流量センサの下流側に接続された配管や各種機器等の要素に起因して生じる二次圧が時間経過に伴って変化し、この二次圧変化が圧力センサによる圧力の測定に影響を与え、同じ測定周囲条件下で測定できず、この二次圧変化に基づき体積値Ｖに誤差が生じる。また、同様に、温度も時間経過に伴って変化し、この温度の変化が圧力センサによる圧力の測定に影響を与え、同じ測定周囲条件下で測定できず、この温度変化に基づき体積値Ｖに誤差が生じる。
【０００９】
よって、式（４）で表される出力関連値に基づいて流量センサの診断しようとすると、その出力関連値に誤差が生じ、正確な診断を行うことができないという問題があった。
【先行技術文献】
【特許文献】
【００１０】
【特許文献１】特許第４８８１３９１号公報
【発明の概要】
【発明が解決しようとする課題】
【００１１】
そこで、本発明は、測定周囲条件の変化にかかわらず、流量センサの機能をより正確に診断し、誤診を減らすことを主な課題とするものである。
【課題を解決するための手段】
【００１２】
すなわち、本発明に係る診断システムは、前記流体センサの出力値又はこれに関連する値のいずれかの値である出力関連値を測定する出力関連値測定部と、前記出力関連値が正常であるか否か判断するために予め定められた基準値を記憶する基準値記憶部と、前記出力関連値又は前記基準値の少なくとも一方を、前記出力関連値の測定周囲条件に応じて補正する補正部と、前記補正部の補正結果に基づく前記出力関連値と前記基準値とに基づいて前記流体センサを診断する診断部と、を具備することを特徴とするものである。
【００１３】
このようなものであれば、出力関連値の誤差の原因となる流体の圧力や温度などの測定周囲条件に応じて出力関連値又は基準値を補正し、その補正結果に基づいて出力関連値と基準値とに基づき、流体センサの機能を診断するため、これにより、より正確に流体センサの機能を診断することができ、診断精度が向上し、これに伴って誤診を減らすことができる。なお、出力関連値には、流体センサの出力値又はこれに関連する値が含まれる。流体センサが流量センサである場合には、流量センサの出力値である流量値や、この流量値に関連する値である体積値等である。また、前記診断部は、具体的には、前記補正部で前記出力関連値のみを補正した場合に、補正した出力関連値と補正していない基準値とに基づき前記流体センサを診断し、前記補正部で前記基準値のみを補正した場合に、補正していない出力関連値と補正した基準体に基づき前記流量センサを診断し、前記補正部で前記出力関連値及び前記基準値を補正した場合に、補正した出力関連値と補正した基準値とに基づき前記流体センサを診断を実行する。
【００１４】
また、前記診断システムにおいて、予め基準となる測定周囲条件下で測定された基準出力関連値とその測定周囲条件とを関連付けて記憶する基準出力関連値記憶部をさらに具備し、前記補正部が、前記出力関連値又は前記基準値を、前記出力関連値に関連付けられた測定周囲条件と前記基準出力関連値に関連付けられた測定周囲条件との偏差に基づいて補正するものであってもよい。
【００１５】
このようなものであれば、基準値の基準となる基準出力関連値を出力関連値と同様に測定することができ、基準値を定めるにあたって新たなセンサ等を追加する必要がなく、システムを簡略化できると共に低コスト化が可能となる。
【００１６】
また、前記いずれかの診断システムにおいて、前記測定周囲条件が、流体の圧力又は温度のいずれかを含むものであってもよい。なお、前記流体の圧力は、前記流体センサに接続される配管や外部機器の影響に起因して生じる一次圧や二次圧が挙げられる。また、前記流体の温度としては、圧力センサなどの各センサの測定に影響を与える温度が挙げられる。
【００１７】
また、前記出力関連値は、前記流体の経時変化する圧力の時間積分値に基づく値であってもよい。具体的には、前記出力関連値は、前記流体の流れの上流と下流との間に生じる差圧に基づき算出される質量流量を所定時間積分した質量流量積分値に基づく値であってもよい。より具体的には、前記出力関連値は、前記流体の流れの上流又は下流における前記所定時間の間の圧力変化量及び温度と、前記質量流量積分値とから算出される流体の体積値であってもよい。
【００１８】
このような出力関連値であれば、経時変化する圧力を連続的に測定した場合に、その圧力値の一部に局所的なピークディップノイズがあったとしても、そのノイズの時間積分値は微少であることから、出力関連値に対するノイズの影響を低減させることができ、これにより、診断精度を向上させることができる。また、差圧式マスフローコントローラであれば、出力関連値を算出するための値を元々備える各センサで測定することができるため、別途センサ等を追加することなく、流量センサを精度良く診断することができる。
【００１９】
また、前記いずれかの診断システムにおいて、前記流体の流れを遮断する流量調整機構をさらに具備し、前記前記流量調整機構が、前記流体の流れを遮断することによって上流側又は下流側の流体の圧力が経時変化するものであってもよく、さらに、前記流体センサが、前記流体の上流と下流との間に差圧を発生させる抵抗体を備えるものであってもよい。
【００２０】
なお、ここで、「流量調整機構」は、差圧式マスフローコントローラや熱式マスフローコントローラ等の流量制御装置を構成している流量制御機構だけでなく、例えば、マスフローコントローラとは別にそのマスフローコントローラの導入ポートや導出ポートから伸びる配管に設けられるような開閉バルブのようなものも含まれる。すなわち、流体の流路を開閉できるものであればよい。
【００２１】
このようなものであれば、流量調整機構と抵抗体との間の非常に小さな流路体積に対する圧力の経時変化を利用して流体センサの機能を診断するため、減圧時間が短くなり、診断に必要となる時間を短縮することができる。また、差圧式マスフローコントローラであれば、元々備える機構を利用して流量センサを診断できる。
【００２２】
また、本発明に係る流体センサの診断方法は、前記流体センサの出力値又はこれに関連する値のいずれかの値である出力関連値を測定し、前記出力関連値又は前記出力関連値が正常であるか否か判断するために予め定められた基準値の少なくとも一方を、前記出力関連値の測定周囲条件に応じて補正し、前記補正結果に基づく前記出力関連値と前記基準値とに基づいて前記流体センサを診断すること特徴とするものである。
【００２３】
また、本発明に係るプログラムは、流体を測定する流体センサの機能を診断する診断システムに用いられるプログラムであって、前記流体センサの出力値又はこれに関連する値のいずれかの値である出力関連値を測定し、前記出力関連値又は前記出力関連値が正常であるか否か判断するために予め定められた基準値の少なくとも一方を、前記出力関連値の測定周囲条件に応じて補正し、前記補正結果に基づく前記出力関連値と前記基準値とに基づいて前記流体センサを診断する機能をコンピュータに発揮させることを特徴とするものである。
【００２４】
また、本発明に係る流量制御装置は、流体の流量を測定する流量センサと、
前記流量センサの上流側に設けられ、その流量センサの出力値に基づいて前記流体の流量を制御する流量制御機構と、前記流体センサの出力値又はこれに関連する値のいずれかの値である出力関連値を測定する出力関連値測定部と、前記出力関連値が正常であるか否か判断するために予め定められた基準値を記憶する基準値記憶部と、前記出力関連値又は前記基準値の少なくとも一方を、前記出力関連値の測定周囲条件に応じて補正する補正部と、前記補正部の補正結果に基づく前記出力関連値と前記基準値とに基づいて前記流体センサを診断する診断部と、を具備することを特徴とするものである。
【発明の効果】
【００２５】
このように構成した本発明によれば、出力関連値の誤差の原因となる測定周囲条件を考慮した上で、その出力関連値を診断するため、より正確に流体センサの機能を診断することができ、誤診を減らすことできる。
【図面の簡単な説明】
【００２６】
【図１】実施形態１に係る流量制御装置を示す模式図である。
【図２】実施形態１に係る流量制御装置の制御部を示す機能構成図である。
【図３】実施形態１に係る流量制御装置の抵抗体を示す断面図である。
【図４】実施形態１に係る流量制御装置における上流側圧力センサで測定される圧力の経時変化を示すグラフである。
【図５】実施形態１に係る流量制御装置における質量流量積分値を説明するためのグラフである。
【図６】実施形態１に係る流量制御装置の流量センサ診断工程を示すフローチャートである。
【図７】実施形態１に係る流量制御装置の圧力センサ診断工程を示すフローチャートである。
【図８】実施形態１に係る流量制御装置の流量制御機構診断工程を示すフローチャートである。
【図９】実施形態２に係る流量制御装置を示す模式図である。
【発明を実施するための形態】
【００２７】
以下に、本発明に係る診断システムについて図面を参照して説明する。
【００２８】
本発明に係る診断システムは、流体センサの機能を診断するものであり、例えば、流量センサを備える流量測定装置や流量制御装置（マスフローコントローラ）に組み込まれるものである。流量制御装置の具体例としては、例えば、差圧式マスフローコントローラや熱式マスフローコントローラなどが挙げられる。
【００２９】
＜実施形態１＞
本実施形態に係る診断システムＤＳは、図１に示すように、流量制御装置ＭＦ１と、流量制御装置ＭＦ１の上流側及び下流側に設けられた開閉バルブＵＶ，ＤＶと、を具備するものであり、例えば、半導体の成膜装置における成膜室（チャンバ）に材料ガスや冷却ガスを供給するためのガス制御システムに用いられる。
【００３０】
流量制御装置ＭＦ１は、差圧式マスフローコントローラである。具体的には、流体が流れる流路１０と、流路１０を流れる流体の流量を測定する流量センサ２０と、流量センサ２０の上流側に設けられる流量制御機構３０と、流量制御機構３０の上流側に設けられる供給圧を測定するための圧力センサ４０と、を備えている。
【００３１】
流路１０は、図示しないが、上流端に導入ポートが設けられており、下流端に導出ポートが設けられている。そして、例えば、導入ポートは、配管を介して流量制御装置ＭＦ１に導入されるガスを供給するガス供給機構に接続されており、導出ポートは、配管を介して流量制御装置によって流量が制御されたガスの供給先となる成膜室に接続されている。
【００３２】
流量センサ２０は、流路１０に差圧を発生させる抵抗体５０と、抵抗体５０の上流側の圧力を測定する上流側圧力センサ６０と、抵抗体５０の下流側の圧力を測定する下流側圧力センサ７０と、流量制御機構３０と抵抗体５０との間の温度を測定する温度センサ８０と、を備えている。なお、両圧力センサ６０，７０は、絶対圧型の圧力センサである。
【００３３】
抵抗体５０は、図３に示すように、上流側の導入口５０ａと下流側の導出口５０ｂとの間に差圧を発生させるものである。なお、具体的な構成としては、主に二種のリング体５１，５２からなっており、第１リング体５１は、第２リング体５２に比べて外径が小さく内径が大きくなっており、第２リング体５２は、第１リング体５１に比べて外径が大きく内径が小さくなっている。そして、両リング体５１，５２を第１リング体５１から交互に積層した構造になっており、最後に円盤体５３が積層され、これにより、各リング体５１，５２を積層した積層体の中央に形成される空間の一端が閉じられて導入口５０ａが形成される。また、第１リング体５１の間に積層される第２リング体５２には、その一部に内壁及び外壁を残して貫通する流路空間５４が設けられている。これにより、第１リング体５１の内面と第２リング体５２の内壁との間に形成される隙間が流路空間５４へ通じる導入路５４ａとなり、第１リング体５１の外面と第２リング体５２の外壁との間に形成される隙間が外方へ通じる導出路５４ｂとなる。そして、この導出路５４ｂによって導出口５０ｂが形成される。このように構成することで、リング体５１，５２の積層枚数や流路空間５４の範囲を調整することにより、導入口５０ａ側と導出口５０ｂ側との間に生じる差圧量を自由に設定できるようになっている。
【００３４】
流量制御機構３０は、弁開度をピエゾ素子等のアクチュエータによって調整できるような構成になっている。
【００３５】
また、流量制御装置ＭＦ１は、流量制御機能、流量センサ診断機能、圧力センサ診断機能、流量制御機構診断機能等を発揮させるための制御部９０を備えている。制御部９０は、ＣＰＵ、メモリ、Ａ／Ｄ・Ｄ／Ａコンバータ、入出力手段等を備えたいわゆるコンピュータを有し、前記メモリに格納されているプログラムが実行することにより、各機器を協働させて各機能を発揮させる。なお、制御部９０には、図示しない入出力手段が接続されている。
【００３６】
制御部９０は、図２に示すように、具体的には、流量測定部９０ａ、制御値算出部９０ｂ、バルブ制御部９０ｃ、出力関連値測定部９０ｄ、基準出力関連値記憶部９０ｅ、基準値記憶部９０ｆ、補正部９０ｇ、偏差算出部９０ｈ、流量センサ診断部９０ｉ、圧力センサ診断部９０ｊ、圧力センサ校正部９０ｋ、流量制御機構診断部９０ｌ、初期化実行部９０ｍ、診断結果出力部９０ｎ、を備えている。
【００３７】
流量測定部９０ａは、流量センサ２０に設けられた両圧力センサ６０，７０で検出された検出値（圧力値）に基づいて流体の流量値を算出するものである。なお、流量測定部９０ａは、両圧力センサ６０，７０で検出された検出値を所定タイミングで受け付けるように構成されている。
【００３８】
制御値算出部９０ｂは、流量測定部９０ａで算出された流量値と予め設定された基準流量値との偏差に基づいて流量制御機構３０をフィードバック制御する制御値を算出するものである。
【００３９】
バルブ制御部９０ｃは、流量制御機構３０のバルブ、開閉バルブＵＶ，ＤＶの開度を制御するものである。具体的には、通常運転時は、制御値算出部９０ｂで算出された制御値に基づいて流量制御機構３０のバルブの開度を変更するフィードバック制御を実施するものである。また、バルブ制御部９０ｃは、入出力手段から入力された流量センサ診断指示に基づいて、流量制御機能３０のバルブを完全に閉じると共に、開閉バルブＵＶ，ＤＶを開くようになっている。また、バルブ制御部９０ｃは、入出力手段から入力された圧力センサ診断指示に基づいて、開閉バルブＵＶを完全に閉じると共に、流量制御機構３０のバルブ及び開閉バルブＤＶを開くようになっている。また、バルブ制御部９０ｃは、入出力手段から入力された流量制御機構診断指示に基づいて、流量制御機構３０のバルブを完全に閉じると共に、開閉バルブＵＶ，ＤＶを開くようになっている。
【００４０】
出力関連値測定部９０ｄは、流量センサ２０に設けられた両圧力センサ６０，７０及び温度センサ８０で検出された検出値（圧力値、温度値）に基づいて流体の体積値（出力関連値）を算出するものである。なお、出力関連値測定部９０ｄは、入出力手段から流量センサ診断指示が入力されたことに基づき出力関連値の測定を開始する。具体的には、入出力手段から流量センサ診断指示が入力されると、バルブ制御部９０ｃによって流量制御機能３０のバルブを完全に閉じると共に、開閉バルブＵＶ，ＤＶを開ける。そうすると、流量制御機構３０の下流側は、その下流側に設けられた図示しない排出機構、例えば、成膜室に接続された排気ポンプによって減圧され始める。そして、各圧力センサ６０，７０で測定された圧力値Ｐ１，Ｐ２から前記式（１）を用いて算出した流体の質量流量Ｑを所定時間に亘って積分することにより、質量流量積分値ｎを算出する。続いて、所定時間の開始時及び終了時において、上流側圧力センサ６０で測定される圧力の圧力差ΔＰ及び温度センサ８０で測定される温度値Ｔから式（４）を用いて測定体積値Ｖを算出する。なお、測定体積値Ｖは、流量制御機構３０から抵抗体５０の導入口５０ａまで流路容積を示している。なお、出力関連値測定部９０ｄは、両圧力センサ６０，７０及び温度センサ８０で検出された検出値を所定タイミングで受け付けるように構成されている。
【００４１】
基準出力関連値記憶部９０ｅは、流量制御装置ＭＦ１を製造工場から出荷する前や、流量制御装置ＭＦ１を実際に半導体製造装置等に接続した後等に、予め所定の測定周囲条件下で測定した基準体積値ＶＳとその測定周囲条件とを関連付けた基準データを記憶したものである。
【００４２】
基準値記憶部９０ｆは、測定体積値Ｖが正常であるか判断するための基準値を記憶したものである。なお、基準値は、基準体積値ＶＳに基づき定められる。本実施形態においては、基準体積値ＶＳに対する測定体積値Ｖのずれの割合に閾値を設定し、ずれの割合がその閾値を越えているか否かを判断することにより、測定体積値Ｖが正常であるか判断している。従って、ずれの割合の閾値が基準値となる。
【００４３】
補正部９０ｇは、測定体積値Ｖと、その測定体積値Ｖの測定時における測定周囲条件とを関連付けて測定データを生成し、その測定データに含まれる測定周囲条件と基準データに含まれる測定周囲条件との偏差に基づいて、測定体積値Ｖ又は基準値を補正するものである。本実施形態においては、基準体積値ＶＳに対する測定体積値Ｖのずれの割合の上限値となる閾値を補正している。
【００４４】
偏差算出部９０ｈは、基準体積値ＶＳに対する測定体積値Ｖのずれの割合を算出するものである。
【００４５】
流量センサ診断部９０ｉは、補正部９０ｇの補正結果に基づく測定体積値Ｖと基準値とに基づき、その測定体積値Ｖが正常であるか否かを判断して流量センサ２０の機能を診断するものである。
【００４６】
圧力センサ診断部９０ｊは、流量センサ２０に設けられた両圧力センサ６０，７０で検出された圧力値が予め定められた規定圧力範囲にあるか診断するものである。具体的には、入出力手段から圧力センサ診断指示が入力されると、バルブ制御部９０ｃによって開閉バルブＵＶが完全に閉じると共に、流量制御機構３０のバルブ及び開閉バルブＤＶが開ける。そうすると、流量制御機構３０の下流側は、その下流側に設けられた排出機構によって減圧され始める。この圧力センサ診断状態において、両圧力センサ６０，７０が規定圧力範囲にあるか診断する。
【００４７】
圧力センサ校正部９０ｋは、流量センサ２０に設けられた両圧力センサ６０，７０の０点補正を実施するものである。具体的には、前記圧力センサ診断状態において、入出力手段から圧力センサ校正指示が入力されると、両圧力センサ６０，７０の０点を補正する。
【００４８】
流量制御機構診断部９０ｌは、流量制御機構３０を診断するものである。具体的には、入出力手段から流量制御機構診断指示が入力されると、バルブ制御部９０ｃによって流量制御機構３０のバルブが完全に閉じると共に、開閉バルブＵＶ，ＤＶが開ける。そうすると、流量制御機構３０の上流側は、その上流側に設けられた供給機構によって昇圧され始めると共に、流量制御機構３０の下流側は、その下流側に設けられた排出機構によって減圧され始める。そして、流量測定部９０ａで測定される流量値の増加率が規定増加率範囲にあるか診断する。
【００４９】
初期化実行部９０ｍは、基準出力関連値記憶部９０ｅに記憶された基準データを設定し直すものである。具体的には、入出力手段から初期化指示が入力されると、基準出力関連値記憶部９０ｅに記憶された基準データを、再度別の測定周囲条件下で測定し直した基準体積値ＶＳ´とその測定周囲条件とを関連付けた新たな基準データに上書し、さらに、その基準データに基づいて基準値記憶部９０ｆに記憶された基準値を設定し直すものである。
【００５０】
診断結果出力部９０ｎは、各診断部の診断結果を入出力手段から画像や音声等によって出力するものである。
【００５１】
次に、本実施形態に係る流量制御装置における流量センサ２０の診断工程を図６に基づいて説明する。
【００５２】
先ず、入出力手段から流量センサ診断指示が入力されると、診断を開始する前に、上流側圧力センサ６０で測定される圧力が開始圧力（Ｐ１ＳＴＡＲＴ時）より低い場合には、開始圧力よりも高くなるように圧力を引き上げる。
【００５３】
次に、バルブ制御部９０ｃが、流量センサ診断指示に基づき、流量制御機能を発揮している流量制御機構３０に対し、バルブを完全に閉じると共に、開閉バルブＵＶ，ＤＶを開く（ステップＳ１０１）。
【００５４】
そして、流量制御機構３０のバルブが完全に閉じた状態になると、流量制御装置ＭＦ１の下流側は、排気ポンプによって吸引されて減圧され、流路内の圧力が経時変化する。
【００５５】
次に、出力関連値測定部９０ｄが、各圧力センサ６０，７０で検出された圧力値から前記式（１）を用いて質量流量Ｑを算出し（ステップＳ１０２）、続いて、その質量流量Ｑを所定時間に亘って時間積分することにより、質量流量積分値ｎを算出する（ステップＳ１０３）。さらに、所定時間の開始時及び終了時において、上流側圧力センサ６０で検出された圧力値に基づいて圧力変化量ΔＰ１を算出し、温度センサ８０で検出された温度値Ｔを取得する（ステップＳ１０４）。そして、質量流量積分値ｎ、圧力変化量ΔＰ及び温度値Ｔから式（４）を用いて測定体積値Ｖを算出する（ステップＳ１０５）。なお、この一連の演算から、質量流量積分値ｎは、圧力の積分値に基づく値であると言える。
【００５６】
次に、補正部９０ｇが、測定体積値Ｖと、その測定体積値Ｖの測定時における測定周囲条件とを関連付けた測定データを生成する（ステップＳ１０６）。そして、基準データと測定データとを参照し、基準データの測定周囲条件と測定データの測定周囲条件との偏差を算出し、その測定周囲条件の偏差を加味し、基準体積値ＶＳに対する測定体積値Ｖのずれの割合の上限を定める閾値を補正する（ステップＳ１０７）。これにより、基準値が補正される。
【００５７】
最後に、偏差算出部９０ｈが、基準体積値ＶＳに対する測定体積値Ｖのずれの割合を算出し（ステップＳ１０８）、流量センサ診断部９０ｉが、そのずれの割合が補正後の閾値を越えているか否かを判断する（ステップＳ１０９）。そして、診断結果出力部９０ｎが、閾値を越えていない場合には、流量センサ２０の機能が正常であって継続使用可能である旨を通知し（ステップＳ１１０）、閾値を越えている場合には、流量センサ２０の機能に異常がある旨を通知する（ステップＳ１１１）。
【００５８】
なお、流量センサ２０の診断を実施した結果、流量センサ２０に正常があると判断された場合には、流量制御機能へ復帰し、一方、流量センサ２０に異常があると判断された場合には、続けて、圧力センサ６０，７０の診断工程を実施する。
【００５９】
ここで、前記流量センサの診断行程においては、状態方程式を用いて導き出した式（４）に各パラメータ（具体的には、圧力変化量ΔＰ、温度値Ｔ、質量流量積分値ｎ等）を代入することによって体積値Ｖ（内部容積）を算出し、その体積値Ｖを用いて流量センサの機能に異常があるか否かを診断しているが、発明者が研究を重ねた結果、前記状態方程式には表れないパラメータも体積値Ｖの算出に影響を与えていることを見出した。
【００６０】
具体的には、前記ステップＳ１０１を実行した際に、抵抗体５０の下流側の圧力、言い換えれば、流量制御装置ＭＦの二次圧が高くなると、これが原因で抵抗体５０の上流側と下流側との差圧が小さくなる。これに伴って圧力降下時間が短くなり、その結果、質量流量積分値ｎの積算時間（所定時間）が短くなり、質量流量積分値ｎを算出するための質量流量Ｑのサンプリング数が減少し、これにより、体積値Ｖに誤差が生じ易くなる。そして、この体積値Ｖの誤差が、流量センサの診断の精度に影響を与えていることが分かった。
【００６１】
そこで、流体の上流と下流との間に生じる差圧が所定値以下になった場合に、測定された出力関連値を大きくする（増やす）補正を行うか、或いは、基準値を小さくする（減らす）補正を行う補正部（診断基準補正部）を設けることによって、流量センサ２０の診断基準を厳しくすることにより、流量制御装置ＭＦの誤診によってその装置が組み込まれたシステム全体が損傷を受けることを防止することができる。なお、この補正は、前記補正部９０ｇによって実行してもよく、また、前記補正部９０ｇとは別の補正部（診断基準補正部）を設け、そこで実行するようにしてもよい。
【００６２】
次に、本実施形態に係る流量制御装置における圧力センサの診断工程を図７に基づいて説明する。
【００６３】
流量センサ２０の診断で異常があると診断された場合に、入出力手段から圧力センサ診断指示が入力されると、バルブ制御部９０ｃが、その指示に基づき、開閉バルブＵＶを完全に閉じると共に、流量制御機構３０のバルブ及び開閉バルブＤＶを開く（ステップＳ２０１）。次に、圧力センサ診断部９０ｊが、両圧力センサ６０，７０で測定される圧力値が規定圧力範囲にあるか診断する（ステップＳ２０２）。そして、診断結果出力部９０ｎが、規定圧力範囲にある場合には、圧力センサ６０，７０が正常である旨を通知し（ステップＳ２０３）、規定圧力範囲にない場合には、圧力センサ６０，７０が異常である旨を通知する（ステップＳ２０４）。
【００６４】
なお、圧力センサ６０，７０の診断で正常であると診断された場合には、続けて、後述する流量制御機構３０の診断工程を実施する。一方、圧力センサ６０，７０の診断で異常があると診断された場合に、入出力手段から圧力センサ校正指示が入力されると、圧力センサ校正部９０ｋが、両圧力センサ６０，７０で測定される圧力値が所定圧力値以下になった状態で、両圧力センサ６０，７０の０点補正を実施する（ステップＳ２０５）。続いて、再度流量センサ２０の診断を実施する（ステップＳ２０６）。そして、診断結果出力部９０ｎが、流量センサ２０が正常であると診断された場合には、その旨を通知し、その後、流量制御機能へ復帰する（ステップＳ２０７）。一方、流量センサ２０に異常があると診断された場合には、圧力センサ６０，７０に修理が必要な異常がある旨を通知する（ステップＳ２０８）。
【００６５】
次に、本実施形態に係る流量制御装置ＭＦ１における流量制御機構３０の診断工程を図８に基づいて説明する。
【００６６】
先ず、流量センサ２０の診断で異常があると診断された後に圧力センサ６０，７０の診断で正常であると診断された場合に、入出力手段から流量制御機構診断指示が入力されると、バルブ制御部９０ｃが、その指示に基づき、流量制御機構３０のバルブを完全に閉じると共に、開閉バルブＵＶ，ＤＶを開く（ステップＳ３０１）。次に、流量制御機構診断部９０ｌが、流量測定部９０ａで測定された流量値の増加率が規定増加率範囲にあるか診断する（ステップＳ３０２）。そして、診断結果出力部９０ｎが、規定増加率範囲にある場合には、流量制御機構３０が正常である旨を通知し（ステップＳ３０３）、一方、規定増加率範囲にない場合には、流量制御機構３０に修理が必要な異常がある旨を通知する（ステップＳ３０４）。この流量制御機構３０の異常はバルブシートリークである可能性が高い。
【００６７】
なお、流量制御機構３０の診断で正常であると診断された場合には、続けて、初期化を実施する（ステップＳ３０５）。初期化は、入出力手段から初期化指示が入力されると、初期化実行部９０ｍは、基準出力関連値記憶部９０ｅに記憶された基準データを、再度別の測定周囲条件下で測定し直した基準体積値ＶＳ´とその測定周囲条件とを関連付けた新たな基準データに上書し、さらに、その新たな基準データに基づいて基準値記憶部９０ｆに記憶された閾値を設定し直す。これにより、流量制御機構３０のバルブで発生しているリーク量が流量制御装置ＭＦの機能に支障が生じない程度のものである場合に、流量制御装置ＭＦを交換することなく使用し続けることができる。そして、その後、流量制御機能に復帰する。
【００６８】
因みに、流量制御装置ＭＦ１の初期化を実行した後、再度流量センサ２０の診断を実施し、流量センサ２０に異常があると診断された場合には、圧力センサ６０，７０及び流量制御機構３０以外の要因によって流量センサ２０の機能に異常が発生していると判断できる。なお、その要因としては、抵抗体５０の目詰まり、流路１０のリーク、流量制御装置ＭＦ１のガス仕様と実際のガスとの不一致などが考えられる。
【００６９】
なお、前記初期化を実施すると、基準値が順次、初期化後の基準値に置き換わるため、基準値記憶部９０ｆに最初に記憶された（設定された）基準値に対する初期化後の基準値の変化量を算出する基準値変化量算出部と、前記変化量が予め定められた所定変化量を越えたか判断する基準値変化量判断部と、前記変化量が予め定められた所定変化量を越えた場合に通知する警告部と、を備えるようにすることが好ましい。なお、所定変化量は、最初に設定された基準値に対する初期化後の基準値の変化量の上限値であり、この上限値は、流量制御機構３０に対して予め保障しているバルブシートリーク量の最大値から算出される、基準出力関連値に対する出力関連値のずれの割合に基づいて導き出すことが可能である。また、初期化が複数回事項された場合には、最初に記憶された基準値から変化した総量が初期化後の変化量となる。
【００７０】
このような構成にすれば、流量センサ２０の診断のみでは判断できない流量制御装置ＭＦ１の各要素の診断を順次実施することができ、流量センサ２０の異常の要因となっている要素を絞り込むことができる。これにより、校正・修理・交換等によって対応可能な異常を見逃す可能性が低くなり、誤診を減らすことができる。
【００７１】
なお、本実施形態においては、各指示を使用者が入出力手段から入力して手動で行っているが、各指示タイミングを記憶したプログラムをメモリに記憶しておき、そのプログラムによって各指示を自動で行ってもよい。
【００７２】
また、本実施形態においては、圧力センサ６０，７０を校正してから流量センサ２０を診断し、その流量センサ２０の機能を診断しているが、圧力センサ６０，７０に限らず、温度センサ８０や他のセンサ等も同様に診断して校正するようにしてもよい。すなわち、流体を測定する流体センサと、前記流体センサの出力値又はこれに関連する値である出力関連値を測定し、測定された出力関連値が予め定められた基準値を比較して流体センサの機能を診断する診断部と、を具備し、前記診断部が、前記流体センサの一部又は全部の要素を補正してから測定された出力関連値と基準値とを比較するような構成のものにすればよい。なお、前記流体センサが、流量センサであり、前記流量センサの要素に圧力センサ又は温度センサのいずれかが含まれる。また、この場合、前記流体センサが流量センサであり、前記流量センサで測定される流量値に基づいて流体の流量をバルブによって制御する流量制御機構をさらに具備し、流量制御機構のバルブを閉じた状態で減圧し、流量センサで測定される流量値の増加率が規定増加率範囲にあるか否かに基づいて流量制御機構のバルブの状態を診断するような構成にしてもよい。
【００７３】
また、本実施形態においては、流量制御装置ＭＦが備えるバルブ制御部９０ｃによって、入出力手段から入力された各指示に基づいて各バルブを制御しているが、これに限定されず、各バルブは、流量制御装置ＭＦの外部に設けられた制御装置に設けたバルブ制御部によって制御するようにしてもよい。
【００７４】
＜その他の実施形態＞
その他の実施形態として、図９に示す流量制御装置ＭＦ２は、実施形態１の流量制御装置ＭＦ１の変形例であり、流量センサ２０の下流側に開閉バルブ３１が設けられており、温度センサ８０が抵抗体５０と開閉バルブ３１との間に設けられている。このような流量制御装置ＭＦ２において、ＲＯＲ型の診断が可能となる。具体的には、流量センサ２０の機能を診断する場合には、開閉バルブ３１を閉じた状態でガスの供給が続くと、開閉バルブ３０の上流側が昇圧する。そして、この場合にも抵抗体５０の上流側と下流側とで差圧が生じるため、各センサ６０，７０，８０の測定値に基づいて抵抗体５０と開閉バルブ３１との間の体積値Ｖを算出することでき、この体積値Ｖを用いて流量センサ２０の機能を診断することができる。なお、本実施形態においては、測定周囲条件として、流量センサ２０の上流側に接続された配管や外部機器から生じる一次圧変化や温度変化を加味して基準値を変化させる必要がある。
【００７５】
また、その他の実施形態として、特に実施形態１の流量制御装置ＭＦ１において、両圧力センサ６０，７０に代えて、抵抗体５０の上流側及び下流側の差圧を測定する差圧センサを設ける態様が考えられる。このようなものであれば、圧力センサのノズルの影響の低減とコストダウンが可能となり、圧力変動するような流体に対してもさらに好適に使用することが可能となる。なお、実施形態１の流量制御装置ＭＦ１であれば、２次側には成膜室等のチャンバ（真空）が接続されているので、この２次側を基準（ゼロ）として差圧センサの測定値から１次側の流量を求めることができる。
【００７６】
なお、前記実施形態においては、基準体積値ＶＳに対する算出された体積値Ｖのズレの割合が閾値を越えたか否かに基づき診断しているが、これに限定されることなく、基準体積値ＶＳに対する体積値Ｖのズレに基づき診断してもよい。この場合、基準出力関連値を基準にして上限値又は／及び下限値を設定し、その上限値又は／及び下限値を基準値とすればよい。また、前記実施形態においては、測定データの測定周囲条件と基準データの測定周囲条件との偏差に基づいて基準値を補正しているが、測定データの出力関連値を補正してもよい。さらに、前記実施形態においては、体積値Ｖを算出する場合に、所定時間の開始時及び終了時における圧力変化量や温度値を用いているが、流量変化量を用いてもよい。
【００７７】
また、前記実施形態においては、測定周囲条件として流体の圧力や温度を例示しているが、この条件はこれに限定されず、例えば、前記実施形態のような診断において、体積値Ｖの誤差の要因となる測定周囲条件としては、前記した二次圧や温度の他に、各圧力センサの基準点のシフトや、抵抗体の目詰まり、流量制御機構のシートリークなども考えられる。よって、これらの測定周囲条件に応じて基準値を補正するようにしてもよい。
【００７８】
また、前記実施形態においては、流量センサに温度センサが含まれているが、流量センサは、流量を測定するために必要な構成を備えたものであればよく、温度センサのように流量の測定に直接的に関与しないセンサは、必ずしも流量センサに含める必要はない。なお、温度センサは、測定周囲条件を測定するために必要なセンサとして、流量センサとは別に設ければよい。
【００７９】
なお、本発明に係る診断システムは、前記実施形態のように流量制御装置や圧力制御装置に適用することができる他、流量測定装置にも適用することができる。また、本発明に係る流体センサは、前記実施形態で用いられる流量センサに限らず、圧力センサ、温度センサ等を用いることもできる。
【符号の説明】
【００８０】
ＭＦ１  流量制御装置
ＵＶ，ＤＶ  開閉バルブ
１０  流路
２０  流量センサ
３０  流量制御機構
４０  圧力センサ
５０  抵抗体
６０  上流側圧力センサ
７０  下流側圧力センサ
８０  温度センサ
９０  制御部
９０ｅ  基準出力関連値記憶部
９０ｇ  補正部
９０ｉ  流量センサ診断部
【図１】
2018152051.tif 000007
【図２】
2018152051.tif 000008
【図３】
2018152051.tif 000009
【図４】
2018152051.tif 000010
【図５】
2018152051.tif 000011
【図６】
2018152051.tif 000012
【図７】
2018152051.tif 000013
【図８】
2018152051.tif 000014
【図９】
2018152051.tif 000015